(57)【要約】【課題】複数本収容されている出没式の複合筆記具にあっては、出没操作の際、互いのシール部材が接触したり、或いは、軸筒の内壁面に接触してしまったりして脱落してしまう場合があった。この問題を解決する為に、特許文献１に記載されているような手段も採られたが、シール部材が変形部に引っ掛かっている為、使用の際、容易に、しかも綺麗には外せず嫌な思いをしてしまうことがあった。【解決手段】ボールを回転可能に抱持したチップの先端にシール部材が被覆されたボールペンチップであって、前記シール部材をボールの先端近傍からチップにかけてほぼ均一な状態で被覆したボールペンチップ。【選択図】  図２
2005014552.tif 000002
【特許請求の範囲】
【請求項１】
ボールを回転可能に抱持したチップの先端にシール部材が被覆されたボールペンチップであって、前記シール部材をボールの先端近傍からチップにかけてほぼ均一な状態で被覆したことを特徴とするボールペンチップ。
【請求項２】
前記チップの前方部に円筒部を形成したことを特徴とする請求項１記載のボールペンチップ。
【請求項３】
筆記体を複数収容する筆記具の前記筆記体に、前記ボールペンチップを取り付けたことを特徴とする請求項１或いは、請求項２に記載の複合筆記具。
【発明の詳細な説明】
【０００１】
【発明の属する技術分野】
本発明は、ボールを回転可能に抱持したチップの先端にシール部材が被覆されたボールペンチップに関する。
【０００２】
【従来の技術】
インキを収容する収容管の先端に、ボールを回転可能に抱持したチップを取り付け、そのチップの先端にシール部材を被覆したボールペンチップがある。詳述すると、そのボールペンチップは、先端に向かい順次細くなる円錐形状をなしているが、先端近傍には段状の変形部が形成されている。又、その変形部をも覆うように、球状のシール部材がボールを被覆している。即ち、変形部にシール部材を被覆することによって、シール部材のチップからの脱落を防止しているのである（特許文献１参照）。
【０００３】
【特許文献１】
特開２００１−２２５５８４号公報（段落００１９〜段落００２４、並びに、図１など）。
【０００４】
【発明が解決しようとする課題】
しかしながら、上記の従来技術にあっては、シール部材が球状をなしている為、不慮の接触によって容易に脱落してしまう場合があった。特に、複数本収容されている出没式の複合筆記具にあっては、出没操作の際、互いのシール部材が接触したり、或いは、軸筒の内壁面に接触してしまったりして脱落してしまう場合があった（図４参照）。これは、筆記時における使用に際しては問題ないが、店頭に陳列している際、ユーザが出没操作を行ってしまうと問題となってしまう。即ち、シール部材が脱落した状態で陳列される為、購入されるまでの間にインキが蒸発してしまうのである。
この問題を解決する為に、特許文献１に記載されているような手段も採られたが、シール部材が変形部に引っ掛かっている為、使用の際、容易に、しかも綺麗には外せず嫌な思いをしてしまうことがあった。
【０００５】
【課題を解決するための手段】
本発明は、ボールを回転可能に抱持したチップの先端にシール部材が被覆されたボールペンチップであって、前記シール部材をボールの先端近傍からチップにかけてほぼ均一な状態で被覆したことを要旨とする。
【０００６】
【作用】
シール部材の外形が突出部のないほぼ均一な状態となっている為、互いのシール部材が接触することがなく、又、軸の内壁面にも接触することがない（図３参照）。仮に、シール部材同士が接触しても、或いは、軸の内壁面に接触しても、突出部による引っ掛かりが生じない為、シール部材がボールペンチップから脱落するようなことがない。
又、使用の際、剥離するときには、ボールペンチップの外形やシール部材の内面に段部が形成されていない為、即ち、平面部による被覆となっている為、容易に剥離する。
【０００７】
【実施例】
図１〜図３に本発明の１例について説明する。黒と赤、黒と青など２種類の筆記体が収容された複合筆記具である。軸筒１は、後軸２と前軸３とから構成されており、互いが螺合によって着脱自在に固定されている。その軸筒１の内部には、２本の筆記体４が前後動可能に配置されている。その筆記体４は、インキを収容するインキタンク部５と、そのインキタンク部５の先端に圧入され、ステンレスや洋白などの金属材質からなるボールペンチップ６と、インキタンク部５の後端に圧入されたスライド部材７から構成されている。そして、その筆記体５は、コイルスプリングなどの弾撥部材８によって、常に上方に向けて付勢されている。前記軸筒１の上方部に形成されているスリット９から露出しているスライド部材７を下方に向けて押圧操作すると、前記筆記体４が弾撥部材８の弾撥力に抗して下方に移動し、軸筒１の先端から突出するというものである。
【０００８】
前記インキタンク部５には、静的な状態においては粘度が低く、動的な状態においては粘度が高くなる、所謂、剪断減粘性を有するインキが収納されている。ちなみに、本実施例におけるインキ粘度は、静的な状態において１４０〜２４５ｍｐａ・ｓであるが、１００〜２０００ｍｐａ・ｓのインキであっても良い。又、インキタンク部５の内径は、１．７０〜１．７８ｍｍであるが、１．５〜３．０ｍｍのインキタンク部としても良い。尚、前記インキの後方には、インキの消費に追従する逆流防止体が配置されており、インキタンク部５の後端からのインキの流出が防止されている。その逆流防止体は、シリコーングリース、ポリブテン、α−オレフィンオリゴマー、エチレン−α−オレフィンオリゴマーなどの難揮発性有機液体をゲル化したものであるが、ポリエチレンテレフタレートなどの樹脂部材であっても良い。
【０００９】
前記ボールペンチップ６の後部は、円筒形の大径部１０となっているが、その大径部１０に連接して突部が形成されていない平面状の表面を有する円筒形の小径部１１が形成されており、その小径部１１の前方には円錐形状部１２が形成されている。そして、その円錐形状部１２の先端には、吐出口１３が形成されており、その吐出口１３には超硬やステンレス、セラミックス、或いは、ジルコニアなどからなるボール１４が回転自在に抱持されている。
又、そのボール１４や円錐形状部１２を覆うようにシール部材１５が被覆されているが、そのシール部材１５は、ほぼ均一な状態で前記小径部１１の中間部まで被覆されている。即ち、シール部材１５の外周の軸線方向には、突部が形成されていない直線状の筒状部１６が形成されている。尚、その直線状の筒状部１６の前方には、円弧状部１７が形成されているが、この円弧状部１７の最大外径は、筒状部１６の最大外径よりも突出しない外径となっている。
【００１０】
前記シール部材１５は、従来より公知の、熱可塑性樹脂と、粘着性樹脂と、ワックスとの混合物よりなる。前記混合物を加熱溶融し、ボールペンチップ６の先端に付着、固化させることにより、シール部材１６を被覆することができる。
前記熱可塑性樹脂としては、例えば、エチレン−酢酸ビニル共重合体、ポリエチレン、ポリアセタール、ポリエステル、ポリカーボネート、ポリアミド、ポリビニルエーテル等が挙げられる。前記粘着性樹脂としては、例えば、テルペン樹脂、クマロン樹脂、フェノール樹脂、エステルガム、ガムロジンが挙げられる。前記ワックスとしては、例えば、パラフィンワックス、マイクロクリスタリンワックス、カルナバワックス、ポリエチレンワックス、天然ワックス、脂肪酸ワックスなどが挙げられるが、これに限定されるものではない。
【００１１】
【発明の効果】
本発明は、ボールを回転可能に抱持したチップの先端にシール部材が被覆されたボールペンチップであって、前記シール部材をボールの先端近傍からチップにかけてほぼ均一な状態で被覆したので、シール部材の出没操作における脱落が防止されると共に、使用の際には、シール部材を容易に剥離することができる。
【図面の簡単な説明】
【図１】本発明の１例を示す縦断面図。
【図２】ボールペンチップを示す拡大縦断面図。
【図３】使用状態を示す要部縦断面図。
【図４】従来の例を示す要部縦断面図。
【符号の説明】
１    軸筒
２    後軸
３    前軸
４    筆記体
５    インキタンク部
６    ボールペンチップ
７    スライド部材
８    弾撥部材
９    スリット
１０  大径部
１１  小径部
１２  円錐形状部
１３  ボール
１４  吐出口
１５  シール部材
１６  直線状の筒状部
１７  円弧状部
【図１】
2005014552.tif 000003
【図２】
2005014552.tif 000004
【図３】
2005014552.tif 000005
【図４】
2005014552.tif 000006